(57)【要約】【課題】文字発光フットボードを提供する。【解決手段】フットボード基板に文字や図形を形成する複数の発光体が所定の固定手段により固定されることで、衝撃を吸収しつつ、発光できる文字発光フットボードであって、文字、図形、または数字などを表示する結合孔２１０が形成されたフットボード基板２００と、上記結合孔２１０に着脱可能に挿入された発光体と、上記発光体を支持するとともにこれら発光体と一体になって構成されており、上記フットボード基板２００の下側に対して分離及び結合される発光体支持板１２０とを備え、フットボード基板２００を容易に洗浄できる文字発光フットボード。【選択図】図２
2008268845.tif 000002
【特許請求の範囲】
【請求項１】
複数の発光ランプ（３０）の組み合わせによって文字が形成されるようにこれらの発光ランプ（３０）が互いに所定量離間する位置で当該発光ランプ（３０）と結合するフットボード基板（２００）と、
上記フットボード基板（２００）に結合されたそれぞれの発光ランプ（３０）アセンブリに電源を印加し、かつその電源を制御する制御部（１３０）と、
上記発光ランプ（３０）アセンブリと上記制御部（１３０）とを保持する上記フットボード基板（２００）の裏面を、上記発光ランプ（３０）アセンブリの上面が踏まれても、このフットボード基板（２００）の裏面全体から下側に所定の空間が確保されるように支持する結合手段（２２２）と、
上記結合手段（２２２）を介して上記フットボード基板（２００）及び上記発光ランプ（３０）アセンブリの底面をこれらフットボード基板（２００）および発光ランプ（３０）アセンブリから絶縁した状態で支持する裏板（２２０）と、を備える文字発光フットボード。
【請求項２】
底面が平らな平面をなし、内部が光を透過するコア層（１１）をなし、上面が凸面をなすとともに、前記底面に設置された発光ランプ（３０）の光を上記凸面上に拡散発光させる複数の発光体（１００）と、
上記各発光体（１００）の組み合わせによって文字が形成されるようにこれら発光体（１００）が互いに所定量離間する位置で当該発光体（１００）と結合するフットボード基板（２００）と、
前記フットボード基板（２００）に結合された各発光体（１００）に電源を印加し、かつその電源を制御する制御部（１３０）と、
上記発光ランプ（３０）および制御部（１３０）を保持する上記フットボード基板（２００）の裏面をシール手段（２３０）を利用して覆う裏板（２２０）とを備え、
各発光体（１００）は、
フレキシブルな熱可塑性（熱硬化性）ポリマーからなる凸レンズ状の凸部（１０）と、
上記凸部（１０）の底面中央に軸方向に形成された挿入孔（２０）と、
上記挿入孔（２０）に挿入される内部光源である発光ランプ（３０）と、
上記凸部（１０）の底面の平面に一体に結合された反射層（４０）とを備え、
上記凸部（１０）の上面は、凸面形状であって、当該上面における照度が均一となる角度で内部光源の光を反射させるようなクラッド層（１２）を形成しており、
上記凸部（１０）の縁には、上記フットボード基板（２００）と結合されるリング板状の支持用のエッジ部（１３）が一体に結合されていることを特徴とする文字発光フットボード。
【請求項３】
上記フットボード基板（２００）に、上記各発光体（１００）を文字として認識可能な間隔で支持する結合孔（２１０）が形成されていることを特徴とする請求項１に記載の文字発光フットボード。
【請求項４】
上記シール手段（２３０）は、ジッパー、高周波融着、面ファスナーのうち一つであることを特徴とする請求項２に記載の文字発光フットボード。
【請求項５】
上記各発光体（１００）の凸部（１０）の縁を形成する上記エッジ部（１３）は、所定長さを有する基台（１１０）に繰り返し結合されて順次延長されるよう構成されていることを特徴とする請求項２に記載の文字発光フットボード。
【請求項６】
上記各発光体（１００）の凸部（１０）の縁を形成する上記エッジ部（１３）に、連結具（１２０）を用いることによって上記発光体（１００）を順次延長及び連結できる延長孔（１３−１）が形成されていることを特徴とする請求項２に記載の文字発光フットボード。
【請求項７】
上記各発光ランプ（３０）は、結合孔（２１０）に収容されるとともに各発光ランプ（３０）を保護する固定手段（２０２）によりそれぞれ支持されており、
上記各固定手段（２０２）は、上記各発光ランプ（３０）を支持する固定エッジ（２０４）と、上記フットボード基板（２００）に固定される固定フック（２０３）とを有することを特徴とする請求項１に記載の文字発光フットボード。
【請求項８】
文字、図形、または数字などを表示する結合孔（２１０）が形成されたフットボード基板（２００）と、
上記結合孔（２１０）に着脱可能に挿入される発光体（１０００）と、
上記各発光体（１０００）を支持し、これら発光体（１０００）と一体に構成されるとともに、上記フットボード基板（２００）の下側に対して固定具（１２６）を介して分離及び結合される発光体支持板（１２０）とを備えていることを特徴とする文字発光フットボード。
【請求項９】
上記結合孔（２１０）は、文字や図形形状を形作るように構成されており、上記発光体（１０００）は、これに対応する文字や図形形状を形作るように構成されていることを特徴とする請求項８に記載の文字発光フットボード。
【請求項１０】
上記結合孔（２１０）は、文字や図形形状を有する図形印刷部（２１１）内に分散形成されていることを特徴とする請求項８に記載の文字発光フットボード。
【請求項１１】
上記固定具（１２６）が、上記フットボード基板（２００）の裏面に設置されて上記発光体支持板（１２０）を分離可能に保持するポケット（１２５）を含むことを特徴とする請求項９または請求項１０に記載の文字発光フットボード。
【請求項１２】
上記固定具（１２６）は、固定フック、固定磁石、面ファスナー、バインダーのうち一つであることを特徴とする請求項９または請求項１０に記載の文字発光フットボード。
【請求項１３】
上記発光体（１０００）は、上記結合孔（２１０）より大きい直径を有する凸部（１０）と、
上記結合孔（２１０）と同じ直径を有するネック部（１０１）と、
上記ネック部（１０１）より大きい直径を有して結合時に支持力を発揮するエッジ部（１３）と、
上記エッジ部（１３）の下に一体にまたは別途に位置する反射層（４０）とを備えることを特徴とする請求項８に記載の文字発光フットボード。
【請求項１４】
上記発光体（１０００）は、上記結合孔（２１０）より大きい直径を有する凸部（１０）と、
上記結合孔（２１０）と同じ直径を有するネック部（１０１）と、
上記ネック部（１０１）より大きい直径を有して結合時に支持力を発揮するエッジ部（１３）と、
上記フットボード基板（２００）の下に一体に設けられて、上記発光体を支持する上記発光体支持板（１２０）を上記エッジ部（１３）の下方に位置させるためのポケット（１２５）とを備え、
上記ポケット（１２５）の上面が反射機能を行うように形成されたことを特徴とする請求項８に記載の文字発光フットボード。
【請求項１５】
文字、図形、または数字などの全部を一括して表示できるだけの大きさを有する結合孔（２１０ｂ）が形成されたフットボード基板（２００）と、
上記結合孔（２１０ｂ）に着脱可能に挿入される発光体（１００ｄ）と、
上記結合孔（２１０ｂ）から外部に露出し、前記発光体（１００ｄ）を支持し、上記発光体（１００ｄ）と一体に構成されるとともに、固定具を上記発光体（１００ｄ）から離間させる発光体支持板（１２０）と、を備えることを特徴とする文字発光フットボード。
【請求項１６】
上記結合孔（２１０ｂ）の上面に、透明なカバー機能を有する透明板（２４０）が設置されていることを特徴とする請求項１５に記載の文字発光フットボード。
【請求項１７】
上記固定具は、ポケット（１２５）を含むことを特徴とする請求項１５に記載の文字発光フットボード。
【請求項１８】
上記固定具は、固定フック、固定磁石、面ファスナー、バインダーのうち一つであることを特徴とする請求項１５に記載の文字発光フットボード。
【発明の詳細な説明】
【技術分野】
【０００１】
本発明は、発光ランプの組み合わせによって文字が形成されるようにこれら発光ランプが互いに所定量離間した位置で固定されており、それぞれの発光ランプに電源を印加しかつその電源を制御する制御部が保持されるようにフットボード基板の裏面が裏板でシールされているとともに、発光ランプが踏まれてもこれら発光ランプが保護される文字発光フットボードに関する。また、本発明は、洗浄の容易な文字発光フットボードに係り、従来のフットボードに文字や図形を形成する発光孔が形成されており、発光孔に対応する発光体を支持する別途の支持板がフットボード基板に対して分離及び結合可能に構成されており、フットボードの洗浄、保管、及び修理を容易とした文字発光フットボードに関する。
【背景技術】
【０００２】
一般的に、フットボードは、フットボード基板をなすゴム板などに文字や図形などが印刷された状態で使われる。従来のフットボードでは、単純な文字や図形が印刷により表現されている。最近では写真などをそのまま印刷する実像印刷方式が用いられる。しかし、上記のような印刷では、別途の外部照明を設置しなければ夜間に印刷内容を遠くから認識することができず、照明手段の追加設置が必要となり、使用において不便である。
【発明の開示】
【発明が解決しようとする課題】
【０００３】
本発明は、これを解決するためのものであって、本発明の目的は、従来のフットボードの概念を超えた新概念の文字発光フットボードを提供することである。
【０００４】
本発明の他の目的は、文字をランプで表示しつつ、折り畳んで容易に移動及び保管することができる文字発光フットボードを提供することである。
【０００５】
本発明の他の目的は、光を受けて発光するフォトルミネセンス方式ではなくランプの光を使って文字から発光させ、少数のランプで文字を表現できるように光を拡散発光させる拡散発光体を使うことにより、コストを節減し、重量を減らすことができる文字発光フットボードを提供することである。
【０００６】
本発明の他の目的は、フットボード基板と文字や図形が形成された支持板とを分離可能にして、容易に洗浄できる文字発光フットボードを提供することである。
【０００７】
本発明の他の目的は、文字や図形を形成する発光体を別途の支持板に結合して、多様な発光手段を選択して使用できる洗浄の容易な文字発光フットボードを提供することである。
【０００８】
本発明の他の目的は、結合孔が形成されるとともに文字や図形などが印刷された図形印刷部に照明と印刷とを分散形成して、これら照明と印刷との結合により多様な案内効果及び広告効果を提供できる洗浄の容易な文字発光フットボードを提供することである。
【０００９】
本発明の他の目的は、結合孔を所定サイズの大きな空間として形成するとともに、この空間に文字や図形を表示する発光体とこの発光体を支持する支持板とを一体に上記結合孔と対応するように位置させることで、立体的な洗浄の容易な文字発光フットボードを提供することである。
【課題を解決するための手段】
【００１０】
上記目的を達成するために、本願発明では、文字が表現されるようにフットボード基板に発光ランプを結合し、フットボード基板の裏面にシールのための裏板を固定するとともに、発光ランプを作動させる制御部をフットボード基板の裏面に保持させる。すなわち、本発明は、複数の発光ランプの組み合わせによって文字が形成されるようにこれら発光ランプが互いに所定量離間する位置で当該発光ランプと結合するフットボード基板と、上記フットボード基板に結合されたそれぞれの発光ランプに電源を印加するとともにこの電源を制御する制御部と、上記発光ランプおよび制御部を保持するフットボード基板の裏面全体をシール手段を利用して覆う裏板とからなる文字発光フットボードを提供する。
【００１１】
また、本発明は、拡散発光体と、これら拡散発光体の組み合わせによって文字が形成されるようにこれら拡散発光体が互いに所定量離間する位置でこれら拡散発光体と結合するフットボード基板と、上記フットボード基板に結合された各拡散発光体に電源を印加するとともにこの電源を制御する制御部と、上記発光ランプおよび制御部を保持するフットボード基板の裏面をシール手段を利用して覆う裏板とからなり、上記拡散発光体の底面は平らな平面をなし、この拡散発光体の内部は光を透過するコア層をなし、この拡散発光体の上面は凸面をなしてこの拡散発光体の底面に設置された発光ランプ３０の光をこの凸面上に拡散発光させる形状を有することを特徴とする文字発光フットボードを提供する。
【００１２】
また、本願発明は、文字、図形、または数字などを表示する結合孔が形成されたフットボード基板と、上記結合孔に着脱可能に挿入された発光体と、上記発光体を支持し、これら発光体と一体に構成されるとともに、上記フットボード基板の下側に対して分離及び結合される発光体支持板とを備えることを特徴とする文字発光フットボードを提供する。
【発明を実施するための最良の形態】
【００１３】
以下、本願発明の実施形態を図面を参照して詳細に説明する。
【００１４】
図１は、本発明の第１実施形態の正面図であり、図２は、図１のＡ−Ａ線拡大断面図である。
【００１５】
この第１実施形態に係る文字発光フットボードは、複数の発光ランプ３０の組み合わせによって文字が形成されるようにこれら発光ランプ３０が互いに所定量離間する位置で当該発光ランプ３０と結合するフットボード基板２００と、上記フットボード基板２００に結合された上記それぞれの発光ランプ３０に電源を印加し、かつその電源を制御する制御部１３０と、上記発光ランプ３０および制御部１３０を保持するフットボード基板２００の裏面全体をシール手段２３０を利用して覆う裏板２２０とからなる。
【００１６】
上記フットボード基板２００には、発光ランプアセンブリ（発光体）が収容される結合孔２１０が形成されており、この結合孔２１０に収容される発光ランプアセンブリは、ボンドやシリコンまたは他のシール用板材から選択される固定手段２０２を介して上記結合孔２１０内に固定されている。上記固定手段２０２は、発光ランプ３０を支持する固定エッジ２０４と、フットボード基板２００に固定される固定フック２０３とを備えている。
【００１７】
ここで、上記ではフットボード基板２００に文字を表示する場合について説明したが、これに限定されず、本発明に係る文字発光フットボードでは、図形や数字、記号、絵、キャラクターなど、多様に具現可能である。
【００１８】
上記フットボード基板２００及び裏板２２０は、防水性の布、カーベット、ゴム板、壁掛け板などで構成されている。また、この文字発光フットボードには、上記フットボード基板２００を支持する複数の結合手段２２２が設けられているとともに、これら結合手段２２２の間には電線などが移動する空間２２５が形成されている。
【００１９】
上記発光ランプ３０は、後述の図６に示す制御部１３０による制御に基づき文字などを表示するように配列されており、図６に示すスィッチ１３１がオンとなりバッテリー１３２の電源が発光ランプ３０に印加されることで、夜間にも文字が発光される。このように、この文字発光フットボードは、昼夜を問わず使用可能となっている。また、この文字発光フットボードは、上記フットボード基板２００が可撓性を有することから、折り畳んでまたは巻いて容易に移動させることができるとともに、防水構造であることから、雨が降ってもた場合にも広げた状態で使用することができ便利である。
【００２０】
図３は、本発明の第２実施形態を示す図１のＡ−Ａ線拡大断面図である。図４は、図１のＢ−Ｂ線拡大断面図である。この第２実施形態に係る文字発光フットボードは、発光体１００と、これら発光体１００の組み合わせによって文字が形成されるようにこれら発光体１００が互いに所定量離間する位置で当該発光体１００と結合されるフットボード基板２００と、上記フットボード基板２００に結合された各発光体１００に電源を印加し、かつその電源を制御する制御部１３０と、上記発光ランプ３０および制御部１３０を保持するフットボード基板２００の裏面全体をシール手段２３０を利用して覆う裏板２２０とからなる。上記発光体１００の底面は平らな平面をなし、この発光体１００の内部は光を透過するコア層１１をなし、この発光体１００の上面は凸面をなしてこの発光体１００の底面に設置された発光ランプ３０の光をこの凸面に拡散発光する形状を有している。
【００２１】
上記フットボード基板２００には、上記各拡散発光体１００を、これら拡散発光体１００の組み合わせが文字として認識されるような間隔で支持する結合孔２１０と、収容エッジ溝２１１とが形成されている。
【００２２】
上記シール手段２３０は、ジッパー、高周波融着、面ファスナーなどの手段から選択して使用可能であり、他のシール可能な手段も使用することができる。
【００２３】
ここで、上記ではフットボード基板２００に文字を表示するようにこのフットボード基板２００に拡散発光体１００を結合させると説明したが、これに限定されず、本発明は、図形や数字、記号、絵、キャラクターなど、多様に具現可能である。
【００２４】
上記フットボード基板２００と上記裏板２２０とは、これらの中間に介在する複数の結合手段２２２により、互いに所定量離間した状態で厚さに変化がないように連結されている。また、上記結合手段２２２の間の空間２２５、２２４には、フットボード基板２００への衝撃を吸収すべく、スポンジ、シリコン、ゴムなどのクッション材２２４が設けられている。
【００２５】
図５は、本発明の第３実施形態を示す図であって、この第３実施形態では、それぞれの発光体１００が基台１００でつながった状態で文字や図形を形成する。
【００２６】
図６は、本発明の制御構成例示図であって、発光ランプ３０に対しては、一つの制御回路で構成される一般的な制御技術が適応されており（例えば、シフトレジスタを利用した順次発光が可能な制御回路や、発光ランプ３０の色相を異にする制御回路や、または複数の発光ランプ３０が組み込まれた制御回路や、点滅作動を可能にする制御回路といった公知の制御回路）、その詳細な説明は省略する。
【００２７】
上記制御部１３０は、スィッチ１３１によってバッテリー１３２の電源が印加され、この印加された電源が、電線１３３を介して上記発光ランプ３０を間欠的または持続的に作動させるように構成されている。上記制御部１３０には、各ランプ３０をそれぞれ同時にまたは選択的に駆動する駆動プログラムが内蔵されている。本実施形態では、上記バッテリー１３２は、直流電源である。このバッテリー１３２としては、単純なバッテリーを使ってもよい。また、商用電源やこれに準する交流電源を受けて直流電源を出力するアダプタなどを使ってもよい。さらに、必要に応じて太陽熱を受けて自己充電可能な太陽電池を利用してもよい。
【００２８】
図７は、本発明に使われる拡散発光体１００の分解斜視図である。図８は、図７のＣ−Ｃ線断面図である。図９は、図８の要部拡大断面図である。
【００２９】
光を拡散する各発光体１００は、フレキシブルな熱可塑性（熱硬化性）ポリマーからなる凸レンズ状の凸部１０と、この凸部１０の底面中央に軸方向に形成された挿入孔２０と、この挿入孔２０内に収容された内部光源である発光ランプ３０と、上記凸部１０の底面の平面に一体に結合された反射層４０とからなる。上記凸部１０の上面は、凸面形状であって、内部光源の光が表面において均一の照度となるような反射角を提供するクラッド層１２を形成している。また、上記凸部１０の縁には、フットボード基板２００と結合されるリング板状の支持用のエッジ部１３が一体に結合されている。
【００３０】
図１０は、図４に用いられている発光装置のみを分離した状態の例を示す平面図であって、この例では、各発光体１００は、一定長さのフレキシブルなポリマーからなる基板１００に所定の間隔を置いて一体に形成されている。
【００３１】
図１１は、図５に用いられている発光装置の他の例を示す平面図であって、この例では、拡散発光体１００の凸部１０の縁を形成するエッジ部１３に、連結具１２０を用いることによって発光体１００を順次延長及び連結できる延長孔１３−１が形成されている。
【００３２】
ここで、本発明の発光体１００は、図８及び図９に示すように、光源である上記発光ランプ３０の光が前方および側方（サイドローブ（ｓｉｄｅ  ｌｏｂｅ））に発せられてこの光が上記コア層１１の表面をなすクラッド層１２に照射された場合に、上記光を、上記クラッド層１２の表面をなす凸面の各点において所定の入射角（θ１０）（上記各点での法線を基準とする入射角）に対して所定の屈折角（θ２０）（上記各点での法線を基準とする屈折角）で透過させることで、上記凸部１０の表面を均一の照度とするように機能する。
【００３３】
上記コア層１１に対して上記光源である発光ランプ３０の光は直進するが、上記クラッド層１２は湾曲面を有している。すなわち、この構造では、ほとんどの法線に対して上記入射角（θ１０）（θ１０’）（θ５０）が臨界角（θｃ）を超えず、上記光は上記凸面の各法線に対して屈折した状態で（屈折角（θ２０）（θ２０’）（θ６０））透過する。そのため、上記凸部表面は均一の照度となる。（このように、本発光体１００は、発光ランプ３０からの光を単純に直進させる単純表面発光の概念ではなく、発光ランプ３０の直径より広い直径を有する上記凸部１０を均一に照明する拡散発光体として作用する）。
【００３４】
もちろん、各入射光（入射角（θ１０）（θ１０’）（θ５０））は、上記コア層１１の内面で反射しており（反射角（θ３０）（θ３０’）（θ４０））、ある点ではその光が外部に透過することで照度が高められている。
【００３５】
上記クラッド層１２は、上記コア層１１を形成する熱可塑性（硬化性）合成樹脂ポリマーを通じて直進した均一の光の屈折率を変化させる媒質（例えば、空気層）である。
【００３６】
ここで、上記クラッド層１２の表面に半透明の半透明層を付加して、柔らかな明るさが提供されるようにしてもよい。また、コア層１１内にチタン（ＴｉＯ２）などの微細鉱物粒子を添加して半透明状態で光を透過するように構成することも可能である。
【００３７】
図１に示すフットボード基板２００の例、すなわち、上記のような拡散発光の機能を有する発光体１００が用いられた文字発光フットボードにおけるフットボード基板２００の例では、各発光体１００は、文字（“ＩＮ”）が認識できるように互いに所定量離間した位置にそれぞれ配列されている。
【００３８】
各発光体１００の配列方法としては、図３及び図４に示すように、上記フットボード基板２００に形成された結合孔２１０において上記凸部１０が外部に露出するように各発光体１００を配置し、上記結合孔２１０の縁に上記エッジ部１３が重なるようにこのエッジ部１３を高周波融着（他の結合手段（例えば、ポンディングやクリッピングなどの多様な結合手段から選択した手段）を使ってもよい）を利用して結合させる方法が挙げられる。
【００３９】
もちろん、文字をなす部位において、図５の第３実施形態のように、図１０や図１１に示すような構造を有する拡散発光体１００をフットボード基板２００に結合してもよい。
【００４０】
このように構成された本文字発光フットボードでは、文字や図形などを形成するようにフットボード基板２００にそれぞれの発光体１００を固定し、図６に示すように、各発光体１００に設置した発光ランプ２０がそれぞれ発光するように、上記制御部１３０と上記発光ランプ３０と上記電線１３３とを連結し、図２ないし図５に示すように、上記フットボード基板２００の裏面に上記裏板２２０をシール手段２３０（例えば、高周波溶着）でシールすることで防水を可能とする。
【００４１】
そして、本文字発光フットボードは、スィッチ１３１が操作され上記バッテリー１３２により電源が上記制御部１３０に供給されると、文字を表示するように配置された上記各発光ランプ３０の点灯によって文字を表示する。
【００４２】
特に、本文字発光フットボードは、文字を表示するように光を放出する上記拡散発光体１００がランプの光の放出面積を拡散する作用を行っている。そのため、本文字発光フットボードによれば、発光ランプ３０が少数であっても明るく文字を表示できて、発光ランプ３０の使用個数を減らしても、多くのランプを使う文字発光方式とは異なりコスト節減の効果を奏することができる。また、光が拡散して凸部１０が均一の照度で光るので、柔らかな照明を提供することができる。そして、まぶしくなくユーザの目を保護する魅力的な文字発光プラカードを提供することができる。
【００４３】
また、クラッド層１２の表面をなす凸面の各点において、図９に示すように、光が各点の法線を基準として所定の入射角（θ１０）に対して所定の屈折角（θ２０）で透過しており、凸部１０の表面は均一の照度となっている。
【００４４】
上記コア層１１に対して上記光源である発光ランプ３０の光は直進するが、上記クラッド層１２は湾曲面を有している。すなわち、この構造では、ほとんどの法線に対して上記入射角（θ１０）（θ１０’）（θ５０）が臨界角（θｃ）を超えず、上記光は上記凸面の各法線に対して屈折した状態で（屈折角（θ２０）（θ２０’）（θ６０））透過する。そのため、上記凸部表面は均一の照度となる。（このように、本発光体１００は、発光ランプ３０からの光を単純に直進させる単純表面発光の概念ではなく、発光ランプ３０の直径より広い直径を有する上記凸部１０を均一に照明する拡散発光体として作用する）。
【００４５】
もちろん、各入射光（入射角（θ１０）（θ１０’）（θ５０））は、上記コア層１１の内面で反射しており（反射角（θ３０）（θ３０’）（θ４０））、ある地点ではその光が外部に透過することによって照度が向上している。上記クラッド層１２は、上記コア層１１を形成する熱可塑性（硬化性）合成樹脂ポリマーを通じて直進した均一の光の屈折率を変化させる媒質（例えば、空気層）である。
【００４６】
図１に示すフットボード基板２００の例、すなわち、上記のような拡散発光の機能を有する発光体１００が用いられた文字発光フットボードにおけるフットボード基板２００の例では、各発光体１００は、文字（“ＩＮ”）が認識できるように互いに所定量離間した位置に配列されている。
【００４７】
各発光体１００の配列方法としては、図３、図４及び図５に示すように、上記フットボード基板２００に形成された結合孔２１０において前面が外部に露出するように各発光体１００を配置し、上記結合孔２１０の縁に上記エッジ部１３が重なるようにこのエッジ部１３を高周波融着や他の結合手段（例えば、ポンディングやクリッピングなどの多様な結合手段から選択した手段）を利用して結合させる方法が挙げられる。
【００４８】
次に、本願発明の他の実施形態である第４ないし第７実施形態を図面を参照して詳細に説明する。
【００４９】
図１２、図１３及び図１５ａ，１５ｂは、第４実施形態を示す図であり、図１４は、第５実施形態を示す図であり、図１６ａ，１６ｂは、第６実施形態を示す図であり、図１７ａ，１７ｂは、第７実施形態を示す図であり、図１８及び図１９は、第５、第６、第７実施形態を示す図であり、図２０、図２１及び図２２は、第６実施形態を示す図である。各実施形態は、基本的に、文字、図形、または数字などを表示する複数の結合孔２１０が形成されたフットボード基板２００と、上記各結合孔２１０にそれぞれ着脱可能に挿入される発光体１０００と、上記発光体１０００を支持した状態でこれら発光体１０００と一体に構成されるとともに上記フットボード基板２００の下側に対して分離及び結合される発光体支持板１２０とを備えている。そして、この文字発光フットボードでは、上記のようにフットボード基板２００と発光体支持板１２０とが分離可能であることから、上記フットボード基板２００を容易に洗浄できるように構成されている。
【００５０】
上記各結合孔２１０は、文字や図形形状を有しており、上記発光体１０００は、対応する文字や図形形状を有する。
【００５１】
上記各結合孔２１０は、図１３に示すように、文字や図形の形を有する図形印刷部２１１内に分散して形成されている。
【００５２】
上記フットボード基板２００の裏面には、図１４に示すように、発光体支持板１２０を保持及び分離するために固定具１２６が設けられている。この固定具の他の例としては、図１５ｂに示すようなポケット１２５が挙げられる。また、固定具１２６には、固定フック、固定磁石、面ファスナー、バインダー、ポケット１２５のうちいずれかを使用することができる。
【００５３】
このような基本構成をベースとして、図１２、図１３、図１５ａ及び図１５ｂのような第４実施形態の場合では、より具体的な構成として、発光体１０００（他の例と区別するために発光体１００ａと図面に示す）を支持する発光体支持板１２０の上面に管状の発光管１０２が形成されており、上記発光管１０２の上縁に上記結合孔２１０の上端に挿入結合される固定フック１０３が形成されており、上記発光管１０２が発光ランプ３０を収容できる直径を有している。もちろん、上記固定フック１０３は、上記発光管１０２を上記結合孔２１０に対して分離及び結合できるほどの結合力を有することが望ましく、結合力が過度に強くなるような突出した構造は、分離時に障害を与えて望ましくない。
【００５４】
本発明の第５実施形態を示す図１４の場合は、発光体１０００（他の例と区別するために発光体１００ｂと示す）が、透明、半透明、または不透明の光を伝達する棒状の合成樹脂ポリマーや板状の合成樹脂板を用いて文字を形成した光伝導性樹脂１０５に、発光体１０００（他の例と区別するために発光体１００ｂと示す）が、固定されている。そして、光を発散する発光ダイオードなどの発光ランプ３０が、光を表面に伝達して発散させるように、上記光伝導性樹脂１０５の端部や中間などに固定されている。このような文字や図形を形成した上記光伝導性樹脂１０５は、文字や図形形状を有する結合孔２１０に挿入結合されており、上記フットボード基板２００と容易に組み立て及び分離できるようになっている。ここで、上記光伝導性樹脂１０５が樹脂であることから、本文字発光フットボードでは多様な色感の具現が可能である。
【００５５】
本発明の第６実施形態を示す図１６ａ，１６ｂ、図２０及び図２１の構成は、発光体１０００（他の例と区別するために発光体１００ｃと示す）を形成するとともに結合孔２１０より大きい直径を有する凸部１０と、上記結合孔２１０と同じ直径を有するネック部１０１と、このネック部１０１より大きい直径を有して結合時に支持力を発揮するエッジ部１３と、このエッジ部１３の下にエッジ部１３と一体またはエッジ部１３と分離した状態で位置する反射層４０とからなる。上記ネック部１０１は、フットボード基板２００と発光部支持板１２０とを一体に結合するために所定の高さを有している。上記発光ランプ３０は、上記発光体１００ｃの底面や下部側面において上方へ延びる挿入孔２０に挿入結合されている。
【００５６】
ここで、上記反射層４０は、上記エッジ部１３ではなく上記ネック部１０１の底面に一体に形成されてもよく、上記エッジ部１３に一体に形成されてもよい。また、上記反射層４０として、上記発光体支持板１２０の底面に一体に結合された別途の板（例えば、上記ポケット１２５の上面板）を使って間接的に光を反射させるように構成してもよい。
【００５７】
また、上記発光体支持板１２０を支持する構造としては、フットボード基板２００に一体に形成された上記ポケット１２５を利用して（図１４に示す固定具１２６の代わりにまたはこの固定具１２６と共に）上記発光体支持板１２０を固定してもよい。そして、上記固定具１２６としては、固定フック、固定磁石、面ファスナー、バインダーのうち一つを使用してもよい。
【００５８】
本発明の第７実施形態は、図１７ａに示すように、文字、図形、または数字などを表示する比較的大きい結合孔２１０ｂが形成されたフットボード基板２００と、上記結合孔２１０ｂに着脱可能に挿入される発光体１０００（他の例と区別するために図面で発光体１００ｄと示す）と、発光体支持板１２０とを備えている。上記発光体支持板１２０は、上記結合孔２１０から外部に露出し、上記発光体１００ｄを支持した状態でこの発光体１００ｄと一体に構成されているとともに、上記フットボード基板２００の下側に対して分離及び結合可能に構成されており、上記フットボード基板２００は、容易に洗浄できるように構成されている。
【００５９】
ここで、図１７ｂに示す例では、上記結合孔２１０ｂの上面に、透明なカバー機能を有する透明板２４０が設置されている。この結合孔２１０ｂの上面は、上記に限らず、カバー機能を有する範囲内で多様に設計変更が可能である。
【００６０】
本発明の第４ないし第７実施形態の制御構成は、例えば図６と同じであるので、その説明は省略する。
【００６１】
図１８は、図１４（第５実施形態）、図１６ａ，１６ｂ（第６実施形態）、図１７ａ，１７ｂ（第７実施形態）に使用可能な発光体のみを分離した例を示す平面図である。上記発光体１０００は、所定の長さの可撓性を有するポリマーからなる基台１１０上に互いに所定の間隔を置いた状態で一体に形成されている。
【００６２】
図１９は、図１４、図１６ａ，１６ｂ及び図１７ａ，１７ｂに使われる上記発光体１０００の他の例を示す平面図である。各発光体１０００の凸部１０の縁を形成するエッジ部１３には、連結具１１１を用いて発光体１０００を順次延長連結するための延長孔１３−１が形成されている。
【００６３】
ここで、第６実施形態である発光体１０００（図面で他の例と区別するために発光体１００ｃと示す）は、図２１及び図２２に示すように、光源である発光ランプ３０の光が前方および側方（サイドローブ（ｓｉｄｅ  ｌｏｂｅ））に発せられてこの光が上記コア層１１の表面をなすクラッド層１２に照射された場合に、上記光を、上記クラッド層１２の表面をなす凸面の各点において所定の入射角（θ１０）（上記各点での法線を基準とする入射角）に対して所定の屈折角（θ２０）（上記各点での法線を基準とする屈折角）で透過させることで、上記凸部１０の表面を均一の照度とするように機能する。
【００６４】
上記コア層１１に対して上記光源である発光ランプ３０の光は直進するが、上記クラッド層１２は湾曲面を有している。すなわち、この構造では、ほとんどの法線に対して上記入射角（θ１０）（θ１０’）（θ５０）が臨界角（θｃ）を超えず、上記光は上記凸面の各法線に対して屈折した状態で（屈折角（θ２０）（θ２０’）（θ６０））透過する。そのため、上記凸部表面は均一の照度となる。（このように、本発光体１００ｃは、発光ランプ３０からの光を単純に直進させる単純表面発光の概念ではなく、発光ランプ３０の直径より広い直径を有する上記凸部１０を均一に照明する拡散発光体として作用する）。
【００６５】
もちろん、各入射光（入射角（θ１０）（θ１０’）（θ５０））は、図９に示すような反射角（θ３０）（θ３０’）（θ４０）を形成してコア層１１の内面で反射しており、ある点ではこの反射光が外部に透過することによって照度が向上している。ここで、上記クラッド層１２は、上記コア層１１を形成する熱可塑性（硬化性）合成樹脂ポリマーを通じて直進した均一の光の屈折率を変化させる媒質（例えば、空気層）である。
【００６６】
ここで、上記クラッド層１２の表面に半透明の半透明層を付加して、柔らかな明るさが提供されるようにしてもよい。また、コア層１１内にチタン（ＴｉＯ２）などの微細鉱物粒子を添加して半透明状態で光を透過するように構成することも可能である。
【００６７】
図１２に示すフットボード基板２００の例、すなわち、上記のような拡散発光の機能を有する発光体１０００が用いられた文字発光フットボードにおけるフットボード基板２００の例では、各発光体１０００は、文字（“ＷＥＬＣＯＭＥ”）が認識できるように互いに所定量離間した位置に配列されている。
【００６８】
各発光体１０００の配列方法としては、図１３及び図１５の実施形態４に示すように、上記フットボード基板２００に形成された結合孔２１０に発光体１００ａを挿入結合する方法や、図１４に示すように文字を形成するＥＬランプや光伝導性樹脂１０５の全体を結合孔２１０ａに結合する方法が挙げられる。また、図１６ａ，１６ｂに示すように、上記凸部１０が、上記フットボード基板２００に形成された結合孔２１０において外部に露出するように配置されたものが挙げられる。この場合には、発光体１０００は、まず、上記ネック部１０１を介して上記発光体支持板１２０を支持するようにこの発光部支持板１２０に結合され、その後、上記フットボード基板２００の結合孔２１０に挿入結合される。そして、これらの結合により上記発光体支持板１２０とフットボード基板２００とが結合される。
【００６９】
図６に示す制御部１３０と、上記発光ランプ３０に連結される電線１３３とは、各発光体１００ｃに設置された発光ランプ３０が発光するように連結されている。図１４及び／または図１６ｂに示すように、上記発光体支持板１２０は、上記フットボード基板２００の裏面に固定具１２６（例えば、フットボード基板２００の裏面に設置したポケット１２５及び／または図１４に示すフックなどの固定具）を介して結合されており、洗浄のために分離及び結合できるようになっている。もちろん、上記発光体支持板１２０は、発光ランプ３０を支持及び制御する手段と電線とがそれぞれシールされていることで、雨が降っても使用できる。上記シールは、多様な方式で実現されるので、ここでは、図面において単純に示す。
【００７０】
以上のようにして上記第４ないし第７実施形態の構成では、スィッチ１３１の操作により内蔵した上記バッテリー１３２からの電力が上記制御部１３０に供給されると、文字を表示するように配置された上記発光ランプ３０やＥＬランプが点灯して、文字を表示する文字発光フットボード基板として作用する。
【００７１】
特に、本文字発光フットボードは、文字を表示するように光を放出する発光体１０００（特に、発光体１００ｂ、１００ｃ、１００ｄ）がランプの光の放出面積を拡散する作用を行っている。そのため、本文字発光フットボードによれば、発光ランプ３０が少数であっても明るく文字を表示できて、発光ランプ３０の使用個数を減らしても、多くのランプを使う文字発光方式とは異なりコスト節減の効果を奏することができる。また、光が拡散して凸部１０が均一の照度で光るので、柔らかな照明を提供することができる。そして、まぶしくなくユーザの目を保護する魅力的なプラカードを提供することができる。
【００７２】
また、クラッド層１２の表面をなす凸面の各点において、図２２に示すように、光が各点の法線を基準として所定の入射角（θ１０）に対して所定の屈折角（θ２０）で光透過しており、凸部１０の表面は均一の照度となっている。
【００７３】
上記コア層１１に対して上記光源である発光ランプ３０の光は直進するが、上記クラッド層１２は湾曲面を有している。すなわち、この構造では、ほとんどの法線に対して上記入射角（θ１０）（θ１０’）（θ５０）が臨界角（θｃ）を超えず、上記光は上記凸面の各法線に対して屈折した状態で（屈折角（θ２０）（θ２０’）（θ６０））透過する。そのため、上記凸部表面は均一の照度となる。（このように、本発光体１０００は、発光ランプ３０からの光を単純に直進させる単純表面発光の概念ではなく、発光ランプ３０の直径より広い直径を有する上記凸部１０を均一に照明する拡散発光体として作用する）。もちろん、各入射光（入射角（θ１０）（θ１０’）（θ５０））は、上記コア層１１の内面で反射しており（反射角（θ３０）（θ３０’）（θ４０））、ある地点ではその光が外部に透過することによって照度が向上している。ここで、上記クラッド層１２は、上記コア層１１を形成する熱可塑性（硬化性）合成樹脂ポリマーを通じて直進した均一の光の屈折率を変化させる媒質（例えば、空気層）である。
【００７４】
図１２に示すフットボード基板２００の例、すなわち、上記のような拡散発光の機能を有する発光体１０００が用いられた文字発光フットボードにおけるフットボード基板２００例では、各発光体１０００は、文字（“ＷＥＬＣＯＭＥ”）を認識できるように互いに所定量離間した位置に配列されている。
【００７５】
各発光体１０００の配列方法としては、第４実施形態の図１３及び図１５ｂに示すように、結合孔２１０に発光体１００ａを挿入結合するか、または第５実施形態の図１４に示すように、文字や図形を形成した光伝導性樹脂１０５からなる発光体１００ｂを結合孔２１０ａにおいて外部に露出するように配置する方法が挙げられる。
【００７６】
また、第６実施形態の図１６ｂに示す場合では、発光体１００ｃは、上記結合孔２１０に挿入結合されて、上記エッジ部１３が上記結合孔２１０の縁に重なった状態で支持されている。この場合には、発光体支持板１２０と一体構成された発光体１００ｃは、支持板１２０と共にフットボード基板２００に対して結合及び分離される。
【００７７】
また、第７実施形態の図１７ａ，１７ｂに示す場合では、発光体１００ｄと発光部支持板１２０とは上記結合孔２１０ｂに対して一体に結合及び分離される。
【００７８】
ここで、フットボード基板２００を分離する方法としては、図１６ｂに示すようにポケット１２５に対して取り外す方法や、図１４に示すように固定具１２６を介して分離する方法があり、使用時には結合される一方、洗浄時にはフットボード基板２００のみを分離して洗浄できるように構成されていればよい。
【００７９】
また、本発明は、フットボード基板２００と発光体１０００とが分離または結合される構造や、文字をなす部分全体あるいは文字をなす部分の一部のみが分離される場合も含む。さらに、本願発明の発光体１０００は、拡散発光体、導波管、導電性ポリマー、発光テープ、ＥＬランプのような発光可能な他の手段によっても具現可能である。
【００８０】
以上のように、本願発明の第１ないし第３実施形態によれば、文字をランプで表示可能な文字発光フットボードを提供することができる。そして、これらの実施形態によれば、文字発光フットボードを折り畳むかまたは巻くことができ、この文字発光フットボードを容易に移動させることができて、文字発光フットボードの持ち運びおよび保管が容易になる。また、これらの実施形態によれば、バッテリーが使われており外部電源の供給が不要であるので文字発光フットボードをどこでも使用することができる。また、これらの実施形態によれば、発光ランプとしてＬＥＤを使うことで消耗電力を小さく抑えることができ、文字発光フットボードの長期間の使用が可能となる。また、これらの実施形態によれば、フットボード基板と裏板とがシール結合されるので、室内外においてあらゆる天候に対応することができる。
【００８１】
また、本文字発光フットボードでは、文字を形成するよう配置されて光を拡散させる拡散発光体が用いられており、少数のランプを使っても文字を具現できて経済的である。
【００８２】
また、本文字発光フットボードでは、拡散発光体がその凸面において均一の照度をなすように光を拡散しているので、目の疲れを減らすことができ、柔らかな照明を実現して広告効果を向上させることができる。
【００８３】
また、本文字発光フットボードでは、拡散発光体を駆動する電源がバッテリーであるので、フットボードを自由に移動させることができるとともにフットボードをどんな位置ででも使用することができる。特に、夜間に別途の外部照明を用いずに広告効果を提供することができ、経済的に、かつ広告効果を向上させることができる。
【００８４】
また、本文字発光フットボードは、夜間にも発光して文字を表示することができ、広告板としての機能を十分に発揮することができる。
【００８５】
また本文字発光フットボードでは、少数の拡散発光体を使って上記フットボード基板を製作することができるので、照明機能を維持しつつも文字発光フットボードの重量を軽減することができる。そのため、移動が容易になるとともに、建物の出入口での使用といった多様な用途での使用が可能となる。
【００８６】
また、上記フットボード基板に結合される発光ランプに供給する電源に太陽電池を利用すれば、この文字発光フットボードを半永久的に使うことができる。そして、このようにすれば、どんな位置でも容易に設置及び移動可能なフットボードを提供することができるとともに、昼には本来の機能であるフットボードとして機能する一方、夜間には案内機能の電光板として機能するフットボードを提供することができる。
【００８７】
また、フットボード基板及び裏板を防水性の布やカーベット、合成樹脂シート等で構成すれば、見た目にも良く、底に置いても漏電のおそれがない文字発光フットボードを提供することができる。そして、このようにすれば、出入口の底、床、レストランの入口に配置されるフットボードとして、また、壁掛け飾り板として多様な用途での使用が可能であとなる。また、本文字発光フットボードは、文字、図形、絵、キャラクターなどを具現可能であり、広告機能及びデザイン提供など、必要に応じて多様に応用可能である。
【００８８】
また、本願発明の第４ないし第７実施形態では、フットボード基板と文字や図形を形成する発光体支持板とが分離可能であり、フットボードを容易に洗浄することができる。
【００８９】
また、本文字発光フットボードでは、上記発光体を別途の発光体支持板に結合する方式で文字や図形が形成されており、上記発光体に限らず多様な発光手段を選択して上記発光体支持板に結合して使用することができる。
【００９０】
また、本文字発光フットボードでは、結合孔が形成されるとともに文字や図形などが印刷された図形印刷部に照明と印刷とを分散形成してこれら照明と印刷とを結合させており、多様な案内効果及び広告効果を提供することができる。
【００９１】
また、本文字発光フットボードでは、結合孔を比較的大きな空間として形成するとともに、この空間に文字や図形を表示する発光体とこの発光体を支持する支持板とを一体に上記結合孔と対応するように位置させており、立体的な文字発光フットボードを提供することができる。
【図面の簡単な説明】
【００９２】
【図１】本発明の第１実施形態を示す正面図である。
【図２】図１のＡ−Ａ線拡大断面図である。
【図３】図２に対応する本発明の第２実施形態に係る拡大断面図図である。
【図４】図１のＢ−Ｂ線拡大断面図である。
【図５】第３実施形態を示す断面図である。
【図６】本発明の制御構成図である。
【図７】本発明の図３に使われる拡散発光体の分解斜視図である。
【図８】図７のＣ−Ｃ線断面図である。
【図９】図８の要部拡大断面図である。
【図１０】第３実施形態に使われる拡散発光体の他の例を示す平面図である。
【図１１】第３実施形態に使われる拡散発光体のさらに他の例を示す平面図である。
【図１２】本発明の他の例を示す平面図である。
【図１３】本発明の第４実施形態の要部拡大分解図である。
【図１４】本発明の第５実施形態の要部拡大断面図である。
【図１５ａ】発明の第４実施形態の分解図である。
【図１５ｂ】図１５ａの組み立て状態を示す断面図である。
【図１６ａ】本発明の第６実施形態の要部分解断面図である。
【図１６ｂ】図１６ａの要部組み立て状態を示す断面図である。
【図１７ａ】本発明の第７実施形態の分解斜視図である。
【図１７ｂ】図１７ａの組み立て状態を示す斜視図である。
【図１８】本発明の第６実施形態の発光体の他の例を示す平面図である。
【図１９】本発明の第６実施形態の発光体のさらに他の例を示す平面図である。
【図２０】本発明の第６実施形態の発光体の一例を示す拡大分解斜視図である。
【図２１】図２０の組み立て状態における光の拡散を示す図である。
【図２２】図２１の光の拡散を示す半断面図である。
【図１】
2008268845.tif 000003
【図２】
2008268845.tif 000004
【図３】
2008268845.tif 000005
【図４】
2008268845.tif 000006
【図５】
2008268845.tif 000007
【図６】
2008268845.tif 000008
【図７】
2008268845.tif 000009
【図８】
2008268845.tif 000010
【図９】
2008268845.tif 000011
【図１０】
2008268845.tif 000012
【図１１】
2008268845.tif 000013
【図１２】
2008268845.tif 000014
【図１３】
2008268845.tif 000015
【図１４】
2008268845.tif 000016
【図１５ａ】
2008268845.tif 000017
【図１５ｂ】
2008268845.tif 000018
【図１６ａ】
2008268845.tif 000019
【図１６ｂ】
2008268845.tif 000020
【図１７ａ】
2008268845.tif 000021
【図１７ｂ】
2008268845.tif 000022
【図１８】
2008268845.tif 000023
【図１９】
2008268845.tif 000024
【図２０】
2008268845.tif 000025
【図２１】
2008268845.tif 000026
【図２２】
2008268845.tif 000027
【外国語明細書】
Title of Invention
LETTER-LUMINESCENT FOOTBOARD
Technical field
The present invention relates to a letter-luminescent footboard, which couples luminous lamps to a footboard at predetermined intervals so that they combine to form a letter, seals the back surface of the footboard base to a back plate to hold a control unit, which is for applying and controlling power to each of the luminous lamps, and protects the luminous lamps even if when they are stepped on. The present invention also relates to an easily washable letter-luminescent footboard, and more particularly to an easily washable letter-luminescent footboard, which has luminous holes forming a letter or graphic placed on an existing footboard and has a support plate for supporting luminous bodies corresponding to the luminous holes so as to be separated from and coupled to the footboard, thereby allowing the footboard to be more easily washed, stored, and repaired. 
Background of the Invention
Generally, a footboard utilizes letters or graphics printed on a rubber plate or the like that form a footboard base.  As for existing footboards, simple letters or graphics are printed thereon, and real image printing methods of printing a picture or the like are common in recent years. 
Disclosure of the Invention
Problems to be solved
However, such images cannot be seen from a distance at night, unless there is an external lighting installed thereon. Thus, a lighting means should be additionally installed, which is inconvenient. 
Means to solve the problems
Therefore, the present invention has been made in view of the above problems, and it is an object of the present invention to provide a letter-luminescent footboard, which is beyond the concept of existing footboards.
It is another object of the present invention to provide a letter-luminescent footboard, which displays letters by lamps, and which can be folded for increased portability and easier storage.
It is another object of the present invention to provide a letter-luminescent footboard, which emits light from letters using the light of lamps, rather than using a photoluminescence method for receiving light and emitting the same, and which cuts down costs and reduces the weight of the footboard by using a diffusive luminous body that diffuses and emits light so as to display letters with a small number of lamps.
It is an object of the present invention to provide an easily-washable letter-luminescent footboard, which allows the footboard and the support plate having letters or graphics to be separable to enable easier washing.
It is another object of the present invention to provide an easily washable letter-luminescent footboard, which can be used by selecting various light emitting means since a luminous body forming letters or graphics is coupled to a support plate.
It is another object of the present invention to provide an easily washable letter-luminescent footboard, which can offer various guidance and advertisement effects by a combination of lighting and printing by spreading the same over a graphics printing portion that has letters or graphics printed on the regions forming luminous holes.
It is another object of the present invention to provide an easily washable letter-luminescent footboard, which allows luminous holes to form a large space of a predetermined dimension, and allows luminous bodies for displaying letters or graphics on this space and a support plate for supporting the luminous body to be integrally placed at the region corresponding to the luminous holes, thereby making the footboard stereoscopic.
In accordance with first to third embodiments of the present invention, luminous lamps are coupled to a footboard base to display letters, the back surface of the footboard base is coupled to a back plate for sealing, and a control unit for operating the luminous lamps is stored on the back side of the footboard base. The present invention provides a letter-luminescent footboard that includes: a footboard base for sealing and coupling luminous lamps thereto at predetermined intervals so that the luminous lamps are combined to form letters; a control unit for applying and controlling power to each of the luminous lamps coupled to the footboard base; and a back plate for covering the entire back surface of the footboard base holding the luminous lamps and the control unit by using a sealing means. 
In accordance with first to third embodiments of the present invention, there is provided a letter-luminescent footboard that includes: diffusive luminous bodies the bottom surface of which is a flat plane surface, the inside of which forms a core layer for transmitting light, and the top surface of which forms a convex surface to diffuse and emit the light of luminous lamps installed on the bottom surface onto the convex surface; a footboard base for coupling the diffusive luminous bodies at predetermined intervals so as to be combined to form a letter; a control unit for applying and controlling power to each of the diffusive luminous bodies coupled to the footboard base; and a back plate for covering the back surface of the footboard base holding the luminous lamps and the control unit by using a sealing means.
In accordance with fourth to seven embodiments of the present invention, there is provided a letter-luminescent footboard that includes: a footboard base having coupling holes displaying a letter, graphic, or number; luminous bodies coupled to the coupling holes by insertion so as to be separated therefrom; and a luminous body support plate which supports the luminous bodies, is integral with the luminous bodies, and is separated therefrom and coupled thereto from below the footboard base. Thus, the footboard base can be easily washed.
PREFERRED EMBODIMENTS FOR CARRYING OUT THE INVENTION
Preferred embodiments according to a letter-luminescent footboard of the present invention will be described in detail with reference to the accompanying drawings.
FIG. 1 is a front illustration of a first embodiment of the present invention.  FIG. 2 is an enlarged cross sectional view taken along line A-A of FIG. 1.
The letter-luminescent footboard includes: a footboard base 200 for sealing and coupling luminous lamps 30 at predetermined intervals so that they are combined to form a letter; a control unit 130 for applying and controlling power to each of the luminous lamps 30 coupled to the footboard base 200; and a back plate 220 for covering the entire back surface of the footboard base 200 holding the luminous lamps 30 and the control unit 130 by using a sealing means 230. In this case, a coupling hole 210 for placing a luminous lamp assembly (luminous body) thereon is formed on the footboard base 200, and the luminous lamp assembly (luminous body) to be fit into the coupling hole 210 is fastened by a fastening means 202 selected from the group of a bonding agent, silicon, and other sealing plate materials. The fastening means 202 includes a fastening edge 204 for supporting the luminous lamps 30 and a fastening hook 203 to be fastened to the footboard base 200. Although the above description has been made with respect to a case in which the luminous lamps 30 are coupled to the footboard base 200 to display letters thereon, this invention is not limited thereto and it can be implemented in various forms including numbers, symbols, pictures, characters, etc.  The footboard base 200 and the back plate 220 are formed of a waterproof cloth, a carpet, a rubber plate, a wall-hanging plate, etc.  A space 225 through which a wire is moved is provided between coupling means 222 since the coupling means 222 support the footboard base 200.
The luminescent lamps 30 are arranged to form letters through the control unit 130 as shown in FIG. 6 to be depicted later.  Thus, when a switch 131 is turned on, power of a battery 132 is supplied to the luminescent lamps 30, and accordingly the letters become luminescent even at night to thus enable use in both day and nights. Further, the footboard easy to move as it can be folded or rolled by using the flexible function of the footboard base 200, and it further convenient since it may be unfolded event when it rains, due to it being waterproof.
FIG. 3 is an enlarged cross sectional view showing a second embodiment of the present invention taken along line A-A of FIG. 1.  FIG. 4 is an enlarged cross sectional view taken along line B-B of FIG. 1.
The letter-luminescent footboard includes: luminous bodies 100 the bottom surface of which is a flat plane surface, the inside of which forms a core layer 11 for transmitting light, and the top surface of which forms a convex surface to diffuse and emit light of luminous lamps 30 installed on the bottom surface onto the convex surface; a footboard base 200 for coupling the luminous bodies 100 at predetermined intervals so as to be combined to form a letter; a control unit for applying and controlling power to each of the diffusive luminous bodies 100 coupled to the footboard base 200; and a back plate 220 for covering the entire back surface of the footboard base 200 holding the luminous lamps 30 and the control unit 130.
A coupling hole 210 for supporting each of the diffusive luminous bodies 100 to be coupled at intervals recognizable by letters, edge portions 13, and receivable edge grooves 211 are formed on the footboard base 200.
The sealing means 230 can be selected from means including a zipper, high-frequency fusion bonding, a magic tape, etc., and other sealable means can be used.
Although the above description has been made with respect to a case in which the diffusive luminous bodies 100 are coupled to the footboard base 200 to display letters thereon, this invention is not limited thereto and it can be implemented in various forms including numbers, symbols, pictures, characters, etc. The footboard bas 200 and the back plate 220 are coupled and supported at a predetermined distance interval by an intermediate coupling means 222 such that there is no difference in thickness. A cushion material 224, such as a sponge, silicon, rubber, etc., may be placed in spaces 225 and 224 between the coupling means 222 to absorb an impact on the footboard base 200.
FIG. 5 shows a third embodiment of the present invention, in which the luminous bodies 100 are connected by a base 110 to form a letter or graphic.
FIG. 6 is an illustration of a control configuration of the present invention, in which the luminous lamps 30 use a control technique of a general technology for control by one control circuit (i.e., a well-known control circuit that enables sequential light emission using a shift register, differentiates the colors of the luminous lamps 30, has a plurality of luminous lamps 30 installed therein, or enables a flickering operation), and thus a detailed description thereof will be emitted.
As for the operation of a control unit 130, the power of a battery 132 is applied by a switch 131, and the applied power is adapted to intermittently or continually operate the luminous lamps 30 through an electric wire 133.  A driving program is stored in the control unit 130 so that each of the lamps 30 is individually, simultaneously, or selectively driven.  In this case, the battery 132 is a DC power source.  As the battery, a common battery may be used, or an adapter or the like for receiving power from a commercial power source or an AC power source equivalent thereto and outputting DC power may be used.  Further, if necessary, a solar cell capable of receiving sunlight and recharging itself may be used.
FIG. 7 is an exploded perspective view of a diffusive luminous body used in the present invention.  FIG. 8 is a cross sectional view taken along line C-C of FIG. 7.  FIG. 9 is an enlarged cross sectional view of essential parts of FIG. 8.
Each of the luminous bodies 100 diffusing light includes: a convex lens type convex portion 10 made of a flexible thermoplastic (thermosetting) polymer, the top surface of which is a convex surface and forms a clad layer 12 providing a reflection angle so that light of an internal light source have a uniform luminance on the surface; an insertion hole 20 formed in an axial direction on the center of the bottom surface of the convex portion 10; a luminous lamp 30 which is an internal light source to be inserted into the insertion hole 20; and a reflective layer 40 integrally coupled to the plane surface of the bottom surface of the convex portion 10, wherein a supporting edge portion 13 of a ring plate shape to be coupled to the footboard base 200 is integrally coupled to the edge of the convex portion 10.
FIG. 10 is a plane view showing an example of separating only a luminescent device used in FIG. 4, in which luminous bodies 100 are formed integral with a substrate 110 made of a flexible polymer having a predetermined length at predetermined intervals.
FIG. 11 is a plane view showing another example of a luminescent device used in FIG. 5, in which an extension hole 13-1 for enabling sequential extension and connection through a connector 120 is formed on the edge portion 13 forming the edge of the convex portion 10 of the diffusive luminous body 100.
When the luminous lamps 30 serving as light sources generates light forward and laterally (side-lobe) on the clad layer 12 forming the surface of the core layer 11 as shown in FIGS. 8 and 9, the luminous body 100 of the present invention functions such that the surface of the convex portion 10 has a uniform luminance because the light is transmitted at an incident angle (θ10) and at a refraction angle (θ20) with respect to the normal line of each point of the convex surface forming the surface of the clad layer 12. Although the light of the luminous lamps 30 serving as light sources goes straight ahead on the core layer 11, the clad layer 12 forms a curved surface.  Therefore, incident angles (θ10)(θ10’)(θ50) at most of the normal lines do not exceed a critical angle (θc), to thus form refraction angles (θ20)(θ20’)(θ60) at each of the normal lines of the convex surface, so that the light is transmitted, thereby forming a uniform luminance on the surface of the convex portion (this luminous body 100 acts as a diffusive luminous body for uniformly lighting up the convex portion 10 having a larger diameter than the diameter of the luminous lamps 30, rather than in the concept of simple surface emission in which the light through the luminous lamps 30 merely goes straight ahead).  It is apparent that each of the incident angles (θ10)(θ10’)(θ50) form refracting angles (θ30)(θ30’)(θ40) and refract light to the inner surface of the core layer 11 to thus transmit the light at a certain point, which may improve the luminance.  In this case, the clad layer 12 is medium (i.e., an air layer) which is provided with the direct advance of uniform light through a thermoplastic (thermosetting) synthetic resin polymer forming the core layer 11, thereby differentiating the refractivity.
Moreover, a semitransparent layer may be added to the surface of the clad layer 12 to provide a softened brightness, or fine mineral particles, such as TiO2, may be added into the core layer 11 to transmit light in a semitransparent state.
By way of example as shown in FIG. 1 of the footboard base 200 forming a footboard using the luminous bodies 100 having the function of diffusive light emission, the luminous bodies 100 are arranged at predetermined intervals so as to form an array of letters (“IN”) to a recognizable extent.  As for the arrangement method, as shown in FIGS. 3 and 4, the convex portion 10 is exposed on the coupling hole 210 formed on the footboard base 200, and the edge portion 13 is coupled to the edge of the coupling hole 210 by a high-frequency fusion bonding (or other coupling means (i.e., means selected from various coupling means such as bonding or clipping) so as to be overlapped with it.  Of course, in this case, in the region forming a letter, as in the third embodiment of FIG. 5, the diffusive luminous bodies 100 having the construction as shown in FIGS. 10 or 11 may be coupled to the footboard base 200.
In the present invention thus constructed, each of the luminous bodies 100 is coupled to the footboard base 200 so as to form a letter or graphic, and the control unit 130, luminous lamps 30, and wires 133 as shown in FIG. 6 are connected thereto so as to illuminate the luminous lamps 30 installed at the luminous bodies 100, and as shown in FIGS. 2 to 5, the back plate 220 is sealed to the back surface of the footboard base 200 by a sealing means 230 (i.e., high-frequency fusion bonding) to enable waterproofing.
Accordingly, when a switch 131 is turned on to supply power of a battery 132 to the control unit 130, the luminous lamps 30 disposed to display letters are turned on, and thus a letter-luminescent footboard that displays letters.
In particular, the diffusive luminous bodies 100 emitting light to display letters act to diffuse the light emission area of the lamp. Thus, the present invention can display a letter brightly even if a small number of luminous lamps 30 is used, can cut down costs unlike the letter luminescent method that uses many lamps even if the number of used luminous lamps 30 is decreased, can provide the effect of softened light emission because the convex portion 10 forms a uniform luminance as the light is diffused, thereby offering the effect of a softened light emission, and can provide a letter-luminescent placard which non-glaring and is appealing.
Further, with respect to the normal line of each point of the convex surface forming the surface of the clad layer 12, as illustrated in FIG. 9, light is transmitted at an incident angle (θ10) and at a refracting angle (θ20), and accordingly the surface of the convex portion 10 forms a uniform luminance.  Although the light of the luminous lamps 30 serving as light sources go straight ahead on the core layer 11, the clad layer 12 forms a curved surface.  Therefore, incident angles (θ10)(θ10’)(θ50) at most of the normal lines do not exceed a critical angle (θc), to thus form refraction angles (θ20)(θ20’)(θ60) at each of the normal lines of the convex surface, so that the light is transmitted, thereby forming a uniform luminance on the surface of the convex portion (this luminous body 100 acts as a diffusive luminous body for uniformly lighting up the convex portion 10 having a larger diameter than the diameter of the luminous lamps 30, rather than in the concept of simple surface emission in which the light through the luminous lamps 30 merely goes straight ahead).  It is apparent that each of the incident angles (θ10)(θ10’)(θ50) form refracting angles (θ30)(θ30’)(θ40) and refract light to the inner surface of the core layer 11 to thus transmit the light at a certain point, which may improve the luminance.  In this case, the clad layer 12 is medium (i.e., air layer) which is provided with the direct advance of uniform light through a thermoplastic (thermosetting) synthetic resin polymer forming the core layer 11, thereby differentiating the refractivity.
By way of example as shown in FIG. 1 of the footboard base 200 forming a footboard using the luminous bodies 100 having the function of diffusive light emission, the luminous bodies 100 are arranged at predetermined intervals so as to form an array of letters (“IN”) to a recognizable extent.  As for the arrangement method, as shown in FIGS. 3, 4 and 5, the front surface 15 is exposed on the coupling hole 210 formed on the footboard base 200, and the edge portion 13 is coupled to the edge of the coupling hole 210 by a high-frequency fusion bonding or other coupling means (i.e., means selected from various coupling means such as bonding or clipping) so as to be overlapped with it.
Fourth to seventh embodiments, which are another embodiments of the present invention, will be described in detail with reference to the accompanying drawings.
FIGS. 12, 13, and 15 are views showing a fourth embodiment, FIG. 14 is a view showing a fifth embodiment, FIG. 16 is a view showing a sixth embodiment, FIG. 17 is a view showing a seventh embodiment, FIGS. 18 and 19 are views showing the fifth, sixth, and seventh embodiments, and FIGS. 20, 21, and 22 are views showing the sixth embodiment.
In each of the embodiments, basically, a letter-luminescent footboard includes: a footboard base 200 having coupling holes 210 displaying a letter, graphic, or number; luminous bodies 1000 coupled to the coupling holes 210 by insertion so as to be separated therefrom; and a luminous body support plate 120 which supports the luminous bodies 1000, is integral with the luminous bodies 1000, and is separated therefrom and coupled thereto from below the footboard base 200.  Thus, the footboard base 200 can be easily washed.
As above, the coupling holes 210 have a shape of a letter or graphic, and the luminous bodies 1000 have a corresponding letter or graphic shape.
As shown in FIG. 13, the coupling holes 210 are spread over a graphics printing portion 211 of a letter or graphic shape.
A fastener 126 as shown in FIG. 14 is added to the back surface of the footboard base 200 to hold and separate the luminous body support plate 120.  As another example of the fastener, a pocket 125 as shown in FIG. 15b may be illustrated.  In other words, one of a fastening hook, a fastening magnet, a magic tape, a binder, and a pocket 125 may be used as the fastener 126.
Based on the above basic construction, concretely in the fourth embodiment as shown in FIGS. 12, 13, 15a, and 15b, a tubular light emitting tube 102 is formed on the top surface of the luminous body support plate 120 supporting the luminous body 1000 (indicated as a luminous body 100a in the drawings in order to distinguish them from those in other examples), and a fastening hook 103 inserted and coupled to the upper end of the coupling hole 210 is formed at the upper edge of the light emitting tube 102, and the light emitting tube 102 has a diameter for holding the luminous lamp 30. Of course, it is preferable that the fastening hook 103 has a fastening coupling force of such an extent as to separate the light emitting tube 102 from the coupling hole 210 and couple it thereto.  Such a construction for protrusion to strengthen the coupling force, obstructs separation, which is not preferable.
In FIG. 14 which illustrates the fifth embodiment of the present invention, a luminous body 1000 (indicated as a luminous body 100b in the drawings in order to distinguish them from those in other examples) is coupled to a light conductive resin 105 forming a letter using a synthetic resin polymer rod or synthetic resin plate for transmitting a transparent, semitransparent, or opaque light, and luminous lamps 30, such as a light emitting diode for emitting light, are coupled to the end or middle parts to transmit and emit light to the surface.  The light conductive resin 105 forming a letter or graphic is inserted and coupled into coupling holes 210 having a letter or graphic shape, thereby making the assembling and dissembling of the footboard base 200 easier, and enabling the implementation of various colors due to the properties of resin.
The construction of FIGS. 16, 20, and 21 illustrating the sixth embodiment of the present invention includes a convex portion 10 forming luminous bodies 1000 (indicated as a luminous body 100c in the drawings in order to distinguish them from those in other examples) and having a larger diameter than coupling holes 210, a neck portion 101 having the same diameter as the coupling holes 210, an edge portion 13 having a larger diameter than the neck portion 101 and exerting a supporting force upon coupling, and a reflective layer 40 integrally or separately located below the edge portion 13.  The neck portion 101 has the height for integrally coupling the footboard base 100 and the luminous body support plate 120.  The luminous lamps 30 are inserted and coupled into insertion holes 20 penetrated upward on the bottom surface or lower side surface of the luminous body 100c.  In this case, the reflective layer 40 may be integrally formed on the bottom surface of the neck portion 101 without the edge portion 13, or may be integrally formed on the edge portion 13, or may be configured to perform an indirect reflective function by using a plate (i.e., an upper surface plate of the pocket 125) integrally coupled to the bottom surface of the luminous body support plate 120.  In this case, the fastener 126 as shown in FIG. 14 supporting the luminous body support plate 120 may fasten the support plate 120 by using the pocket 125 integrally formed on the footboard base 200 (in place of the fastener 126 or along with the fastener 126), and one of a fastening hook, a fastening magnet, a magic tape, and a binder may be used as the fastener 126.
In the seventh embodiment of the present invention, as shown in FIG. 17a, the letter-luminescent footboard comprises: a footboard base 200 having a large coupling hole 210b for displaying a letter, graphic, or number; a luminous body 1000 (indicated as a luminous body 100d in the drawings in order to distinguish them from those in other examples) coupled to the coupling hole 210b by insertion so as to be separated therefrom; and a luminous body support plate 120 which is exposed to the coupling hole 210b, supports the luminous body 100d, is integral with the luminous body 1000, and is separated therefrom and coupled thereto from below the footboard base 200.  Thus, the footboard base 200 can be easily washed.  In this case, the top surface of the coupling holes 210b may be illustrated with respect to a case in which a transparent plate 240 having a transparent cover function is installed as shown in FIG. 17b, and may be changed in design in various forms within the scope of performing the covering function.
The control configuration of the fourth to seventh embodiments of the present invention can be illustrated in the same manner as in FIG. 6, and thus a description thereof will be omitted. 
FIG. 18 is a plane view showing an example of separating only the luminous bodies useable in FIG. 14 (fifth embodiment), FIG. 16 (sixth embodiment), and FIG. 17 (seventh embodiment).  The luminous bodies 1000 are formed integral with each other at predetermined intervals on a base 110 made of a flexible polymer having a predetermined length.
FIG. 19 is a plane view showing another example of the luminous bodies 1000 used in FIG. 14, FIG. 16, and FIG. 17. An extension hole 13-1 for enabling sequential extension and connection through a connector 111 is formed on the edge portion 13 forming the edge of the convex portion 10 of each luminous body 1000.
When the luminous lamps 30 serving as light sources generates light forward and laterally (side-lobe) on the clad layer 12 forming the surface of the core layer 11 as shown in FIGS. 21 and 22, the luminous body 1000 (indicated as a luminous body 100c in the drawings in order to distinguish them from those in other examples) according to the sixth embodiment used in the present invention functions such that the surface of the convex portion 10 has a uniform luminance because the light is transmitted at an incident angle (θ10) and at a refraction angle (θ20) with respect to the normal line of each point of the convex surface forming the surface of the clad layer 12. Although the light of the luminous lamps 30 serving as light sources goes straight ahead on the core layer 11, the clad layer 12 forms a curved surface.  Therefore, incident angles (θ10)(θ10’)(θ50) at most of the normal lines do not exceed a critical angle (θc), to thus form refraction angles (θ20)(θ20’)(θ60) at each of the normal lines of the convex surface, so that the light is transmitted, thereby forming a uniform luminance on the surface of the convex portion (this luminous body 100 acts as a diffusive luminous body for uniformly lighting up the convex portion 10 having a larger diameter than the diameter of the luminous lamps 30, rather than in the concept of simple surface emission in which the light through the luminous lamps 30 merely goes straight ahead).  It is apparent that each of the incident angles (θ10)(θ10’)(θ50) form refracting angles (θ30)(θ30’)(θ40) as indicated in FIG. 9 and refract light to the inner surface of the core layer 11 to thus transmit the light at a certain point, which may improve the luminance.  In this case, the clad layer 12 is medium (i.e., air layer) which is provided with the direct advance of uniform light through a thermoplastic (thermosetting) synthetic resin polymer forming the core layer 11, thereby differentiating the refractivity.
Moreover, a semitransparent layer may be added to the surface of the clad layer 12 to provide a softened brightness, or fine mineral particles, such as TiO2, may be added into the core layer 11 to transmit light in a semitransparent state.
By way of example as shown in FIG. 12 of the footboard base 200 forming a footboard using the luminous bodies 1000 having the function of diffusive light emission, the luminous bodies 1000 are arranged at predetermined intervals so as to form an array of letters (“WELCOME”) to a recognizable extent. As for the arrangement method, as in the fourth embodiment of FIGS. 13 and 15, a luminous body 100a is inserted and coupled into coupling hole 210 formed on the footboard base 200, and as shown in FIG. 14, the entire parts of EL lamps or light conductive resin 105 forming a letter may be coupled to the coupling hole 210a.  Further, as shown in FIG. 15, a convex portion 10 is exposed on the coupling hole 210 formed on the footboard base 200, firstly coupled to a luminous body support plate 120 in such a way to support it through a neck portion 101, and then inserted and coupled to the coupling hole 210 of the footboard base 200, thereby coupling the luminous body support plate 120 and the footboard base 200.
Continuously, the control unit 130 as shown in FIG. 6 and a wire 133 for connecting the luminous lamps 30 are connected so that the luminous lamps 30 installed on each luminous body 100c emit light. As shown in FIG. 14 and/or FIG. 16b, the luminous body support plate 120 is coupled to the back surface of the footboard base 200 by a fastener 126 (i.e., a pocket 125 installed on the back surface of the footboard base 200 and/or a hook as shown in FIG. 14), so as to be separated therefrom and coupled thereto for washing.  It is obvious that the luminous body 120 can be used even when it rains by configuring the supporting and control means of the luminous lamps 30 and the wire so as to be sealable.  Such a sealing method may be implemented in various ways, and thus are minimally indicated in the drawings.
Accordingly, in any of the constructions of the fourth to seventh embodiments, when a switch 131 is turned on to supply power of a battery 132 to the control unit 130, the luminous lamps 30 or EL lamps disposed to display letters are switched on, and thus function as a letter-luminescent footboard which display letters.
In particular, the luminous bodies 1000 emitting light to display letters, especially, luminous bodies 100b, 100c, and 100d, act to diffuse the light emission area of the light.  Thus, the present invention can display a letter brightly even if a small number of luminous lamps 30 is used, can cut down costs unlike the letter luminescent method using many lamps even if the number of use of the luminous lamps 30 is decreased, can provide the effect of softened light emission because the convex portion 10 forms a uniform luminance as the light is diffused, thereby offering the effect of a softened light emission, and can provide a placard which non-glaring and appearing.
Further, with respect to the normal line of each point of the convex surface forming the surface of the clad layer 12, as illustrated in FIG. 22, light is transmitted at an incident angle (θ10) and at a refracting angle (θ20), and accordingly the surface of the convex portion 10 forms a uniform luminance.  Although the light of the luminous lamps 30 serving as light sources goes straight ahead on the core layer 11, the clad layer 12 forms a curved surface. Therefore, incident angles (θ10)(θ10’)(θ50) at most of the normal lines do not exceed a critical angle (θc), to thus form refraction angles (θ20)(θ20’)(θ60) at each of the normal lines of the convex surface, so that the light is transmitted, thereby forming a uniform luminance on the surface of the convex portion (this luminous body 100 acts as a diffusive luminous body for uniformly lighting up the convex portion 10 having a larger diameter than the diameter of the luminous lamps 30, rather than with a simple surface emission in which the light through the luminous lamps 30 merely goes straight ahead).  It is apparent that each of the incident angles (θ10)(θ10’)(θ50) form refracting angles (θ30)(θ30’)(θ40) and refract light to the inner surface of the core layer 11 to thus transmit the light at a certain point, which may improve the luminance.  In this case, the clad layer 12 is medium (i.e., air layer) which is provided with the direct advance of uniform light through a thermoplastic (thermosetting) synthetic resin polymer forming the core layer 11, thereby differentiating the refractivity.
By way of example as shown in FIG. 12 of the footboard base 200 forming a footboard using the luminous bodies 1000 having the function of diffusive light emission, the luminous bodies 1000 are arranged at predetermined intervals so as to form an array of letters (“WELCOME”) to a recognizable extent. As for the arrangement method, as in the fourth embodiment of FIGS. 13 and 15, a luminous body 100a is inserted and coupled into coupling hole 210, and as shown in FIG. 14 illustrating the fifth embodiment, the luminous body 100b made of light conductive resin forming a letter or graphic is exposed on the coupling hole 210a.
Further, as shown in FIG. 16 of the sixth embodiment, the luminous body 100c is inserted and coupled into the coupling hole 210 and the edge portion 13 is overlapped with and supported on the edge of the coupling hole 210.  Accordingly, the luminous body 100c integral with the luminous body support plate 120 is coupled to and separated from the footboard base 200 along with the support plate 120.
Further, as shown in FIG. 17 of the seventh embodiment, the luminous body 100d and the luminous body support plate 120 are integrally coupled to and separated from the coupling hole 210b.
Of course, in order to separate it, it should be removed from the pocket 125 as shown in FIG. 16b, or separated through the fastener 126 as shown in FIG. 14, so that it is coupled in use and only the footboard base 200 is separated when washing.
It is apparent that the present invention has a construction in which the footboard base 20 and the luminous body 1000 may be separated or coupled, and the entire section forming a letter may be separated or only one part of many forming a letter may be separated.  Moreover, the luminous body 1000 of the present invention can be implemented in other means capable of light emission, such as a diffusive luminous body, a waveguide, a conductive polymer, a light emission tape, an EL lamp, etc. 
As apparent from the above description, the present invention has the following advantages:
First to third embodiments of the present invention provide a letter-luminescent footboard, which can display a letter by lamps.  Accordingly, it can be folded for portability and easy storage, can be used anywhere as there is no need to supply an external power source since it uses a battery, can be used for a long time because power consumption is low due to using luminous lamps as LED’s, and can be used in all weather both indoors and outdoors because the back plate of the footboard base is coupled to be sealable.
The footboard utilizes the diffusive luminous bodies that are aligned to form letters and diffuse lights. Therefore, it can display the letters using a relatively small number of luminous lamps and cut down costs. 
The diffusive luminous bodies emit light through their convex surface with uniform luminance as the light is diffused. Therefore, it can protect the user’s eyes and offer the effect of softened light emission to maximize the advertisement effect.
The diffusive luminous bodies are driven by a battery. Therefore, the footboard can be freely moved and used at any place, and, in particular, can be used in the night for advertisement effect without any additional external lamp, which makes it cost-effective and maximizes the advertisement effect.
The footboard can display letters by emitting light at night. Therefore, it can serve as an advertisement.
The footboard base of the footboard is manufactured to use a small number of diffusive luminous bodies. Therefore, the weight of the footboard is light so that a user can bring it conveniently, and can be installed in the building entrance.
When the footboard is configured to include solar cell that supplies power to the luminous lamps coupled to the footboard, it can be used semi-permanently. This footboard can be easily installed at any place and conveniently replaced from the place. Also, this footboard can serve to its inherent function in the day time and to the signboard for guidance at night.
When the footboard base and the back plate are made of waterproofing cloth or carpet, and synthesis resin sheet, etc., the footboard becomes attractive and does not cause a leak of electricity in the bottom. Therefore, the footboard can be used as a variety of use, such as footboards at any entrance, floor, restaurant entrance, and even such as a wall ornament. The footboard can be implemented in various forms including numbers, symbols, pictures, characters, etc. Therefore, it can be variously used.
Furthermore, fourth to seventh embodiments of the present invention enable washing of the footboard as the footboard base and a footboard support plate forming a letter or graphic can be separated from each other to allow for easier washing.
The present invention forms letters or a graphic in such a way that the luminous bodies are installed to an additional luminous body support plate. Instead of the luminous bodies, a variety of light emitting means can be selected and installed to the luminous body support plate.
The present invention can offer various guidance and advertisement effects by a combination of lighting and printing by spreading the same over a graphics printing portion that has letters or graphics printed on the regions forming coupling holes.
The present invention allows luminous holes to form a large space of a predetermined dimension, and allows luminous bodies for displaying letters or graphics on this space and a support plate for supporting the luminous body to be integrally placed at the region corresponding to the luminous holes, thereby making the footboard stereoscopic.
Although the preferred embodiments of the present invention have been disclosed for illustrative purposes, those skilled in the art will appreciate that various modifications, additions and substitutions are possible, without departing from the scope and spirit of the invention as disclosed in the accompanying claims.
Brief Description of the Drawings
FIG. 1 is a front view depicting a first embodiment of the present invention;
FIG. 2 is an enlarged cross sectional view taken along line A-A of FIG. 1;
FIG. 3 is an enlarged cross sectional view showing a second embodiment of the present invention taken along line A-A of FIG. 1;
FIG. 4 is an enlarged cross sectional view taken along line B-B of FIG. 1;
FIG. 5 is a cross sectional view showing a third embodiment;
FIG. 6 is a control configuration view of the present invention;
FIG. 7 is an exploded perspective view of a diffusive luminous body used in FIG. 3 of the present invention;
FIG. 8 is a cross sectional view taken along line C-C of FIG. 7;
FIG. 9 is an enlarged cross sectional view of essential parts of FIG. 8;
FIG. 10 is a plane view showing another example of a diffusive luminous body used in the third embodiment;
FIG. 11 is a plane view showing still another example of a diffusive luminous body used in the third embodiment;
FIG. 12 is a plane view showing another example of the present invention;
FIG. 13 is an enlarged exploded view of essential parts of a fourth embodiment of the present invention;
FIG. 14 is an enlarged exploded view of essential parts of a fifth embodiment of the present invention;
FIG. 15a is an exploded view of the fourth embodiment of the present invention;
FIG. 15b is a cross sectional view of an assembly state of FIG. 4a;
FIG. 16a is an enlarged exploded view of essential parts of a sixth embodiment of the present invention;
FIG. 16b is a cross sectional view of an assembly state of essential parts of FIG. 16a;
FIG. 17a is an exploded perspective view of a seventh embodiment of the present invention;
FIG. 17b is a perspective view of an assembly state of FIG. 17a;
FIG. 18 is a plane view showing another example of a luminous body of the sixth embodiment of the present invention;
FIG. 19 is a plane view showing still another example of the luminous body of the sixth embodiment of the present invention;
FIG. 20 is an enlarged exploded perspective view showing one example of the luminous body of the sixth embodiment of the present invention;
FIG. 21 is a view showing the diffusion of light in an assembly state of FIG. 20; and
FIG. 22 is a cross sectional view showing the diffusion of light of FIG. 21.
CLAIMS
1. A letter-luminescent footboard, comprising:
a footboard base (200) for sealing and coupling luminous lamps (30) at predetermined intervals so that they are combined to form a letter;
a control unit (130) for applying and controlling power to each of the luminous lamp assemblies coupled to the footboard base (200);
a coupling means (222) for coupling the entire back surface of the footboard base (200) holding the luminous lamp (30) assemblies and the control unit (130) while maintaining a clearance space that can be held from below even if the top surface of the luminous lamp assemblies is stepped on; and
a back plate (220) for backing the footboard base (200) and the bottom surfaces of the luminous lamps (30) by means of the coupling means (222) to be insulated from each other.
2. A letter-luminescent footboard, comprising:
luminous bodies (100) the bottom surface of which is a flat plane surface, the inside of which forms a core layer (11) for transmitting light, and the top surface of which forms a convex surface to diffuse and emit light of luminous lamps (30) installed on the bottom surface onto the convex surface;
a footboard base (200) for coupling the luminous bodies (100) at predetermined intervals to be combined to form a letter;
a control unit (130) for applying and controlling power to each of the luminous bodies (100) coupled to the footboard base (200); and
a back plate (220) for covering the back surface of the footboard base (200) holding the luminous lamps (30) and the control unit (130) by using a sealing means (230),
each of the luminous bodies (100) comprising:
a convex lens type convex portion (10) made of a flexible thermoplastic (thermosetting) polymer, the top surface of which is a convex surface and forms a clad layer (12) providing a reflection angle so that light of an internal light source have a uniform luminance on the surface;
an insertion hole (20) formed in an axial direction on the center of the bottom surface of the convex portion (10);
a luminous lamp (30) which is an internal light source to be inserted into the insertion hole (20); and
a reflective layer (40) integrally coupled to the plane surface of the bottom surface of the convex portion (10),
wherein a supporting edge portion (13) of a ring plate shape to be coupled to the footboard base (200) is integrally coupled to the edge of the convex portion (10).
3. The footboard according to claim 1, wherein a coupling hole (210) is formed on the footboard base (200), for supporting each of the diffusive luminous bodies (100) to be coupled at intervals recognizable as letters.
4. The footboard according to claim 2, wherein the sealing means (230) is one selected from a zipper, high-frequency fusion bonding, and a magic tape.
5. The footboard according to claim 2, wherein the edge portion (13) forming the edge of the convex portion (10) of each luminescent device (100) is integrally coupled to a base (110) of a predetermined length in a repetitive manner for sequential extension. 
6. The footboard according to claim 2, wherein an extension hole (13-1) for enabling sequential extension and connection through a connector (120) is formed on the edge portion (13) forming the edge of the convex portion 10 of each luminous body (100).
7. The footboard according to claim 1, wherein the luminous lamps (30) are held by coupling holes (210) and supported by a fastening means (202) for protecting the luminous lamps (30), and
the fastening means (202) has a fastening edge (204) for backing the luminous lamps (30) and a fastening hook (203) to be fastened to the footboard base (200). 
8. A letter-luminescent footboard comprising:
a footboard base (200) having coupling holes (210) displaying a letter, graphic, or number;
luminous bodies (1000) coupled to the coupling holes (210) by insertion so as to be separated therefrom; and
a luminous body support plate (120) which supports the luminous bodies (1000), is integral with the luminous bodies (1000), and is separated therefrom and coupled thereto from below the footboard base (200) using a fastener (126).
9. The footboard according to claim 8, wherein:
the coupling holes (210) have a shape of a letter or graphic; and
the luminous bodies (1000) have a corresponding letter or graphic shape.
10. The footboard according to claim 8, wherein the coupling holes (210) are spread over a graphics printing portion (211) of a letter or graphic shape.
11. The footboard according to claim 9 or 10, wherein the fastener (126) includes a pocket (125) that is added to the back surface of the footboard base (200) so as to hold and separate the luminous body support plate (120).
12. The footboard according to claim 9 or 10, wherein the fastener is one of a fastening hook, a fastening magnet, a magic tape, and a binder.
13. The footboard according to claim 8, wherein the luminous bodies each comprises:
a convex portion (10) having a larger diameter than coupling holes (210);
a neck portion (101) having the same diameter as the coupling holes (210);
an edge portion (13) having a larger diameter than the neck portion (101), for exerting a supporting force upon coupling; and
a reflective layer (40) integrally or separately located below the edge portion (13).
14. The footboard according to claim 8, wherein the luminous bodies each comprises:
a convex portion (10) having a larger diameter than coupling holes (210);
a neck portion (101) having the same diameter as the coupling holes (210);
an edge portion (13) having a larger diameter than the neck portion (101), for exerting a supporting force upon coupling; and
a pocket (125) integrally installed under the footboard base (200) so that the supporting plate 120 supporting the luminous bodies is fined to under the edge portion (13),
wherein the upper side surface is formed to perform reflection.
15. A letter-luminescent footboard comprising:
a footboard base (200) having a large coupling hole (210b) for displaying a letter, graphic, or number all together;
a luminous body (100d) coupled to the coupling hole (210b) by insertion so as to be separated therefrom; and
a luminous body support plate (120) which is exposed to the coupling hole (210b), supports the luminous body (100d), is integral with the luminous body (100d), and separates a fastener fro the luminous body (100d).
16. The footboard according to claim 15, wherein the top surface of the coupling holes (210b) is installed by a transparent plate 240 having a transparent cover.
17. The footboard according to claim 15, wherein the fastener includes a pocket (125).
18. The footboard according to claim 15, wherein the fastener is one of a fastening hook, a fastening magnet, a magic tape, and a binder.
ABSTRACT
A letter-luminescent footboard is disclosed. The footboard absorbs impact and emits light by coupling luminous bodies forming a letter or graphic by a coupling means. The footboard is configured to include: a footboard base having coupling holes displaying a letter, graphic, or number; luminous bodies coupled to the coupling holes by insertion to be separated therefrom; and a luminous body support plate which supports the luminous bodies, is integral with the luminous bodies, and is separated therefrom and coupled thereto from below the footboard base. Thus, the footboard base can be easily washed.
Representative Drawing Fig 2
【図１】
2008268845.tif 000028
【図２】
2008268845.tif 000029
【図３】
2008268845.tif 000030
【図４】
2008268845.tif 000031
【図５】
2008268845.tif 000032
【図６】
2008268845.tif 000033
【図７】
2008268845.tif 000034
【図８】
2008268845.tif 000035
【図９】
2008268845.tif 000036
【図１０】
2008268845.tif 000037
【図１１】
2008268845.tif 000038
【図１２】
2008268845.tif 000039
【図１３】
2008268845.tif 000040
【図１４】
2008268845.tif 000041
【図１５ａ】
2008268845.tif 000042
【図１５ｂ】
2008268845.tif 000043
【図１６ａ】
2008268845.tif 000044
【図１６ｂ】
2008268845.tif 000045
【図１７ａ】
2008268845.tif 000046
【図１７ｂ】
2008268845.tif 000047
【図１８】
2008268845.tif 000048
【図１９】
2008268845.tif 000049
【図２０】
2008268845.tif 000050
【図２１】
2008268845.tif 000051
【図２２】
2008268845.tif 000052